(57)【要約】【解決手段】発光素子の位置決めシステム及び方法が、開示されている。【選択図】図７
2008507741.tif 000002
【特許請求の範囲】
【請求項１】
複数の発光ダイオード（ＬＥＤ）列が取り付けられた基板と、
前記基板に接続され前記基板の位置を測定する位置センサと、
前記基板に接続された可動構造と、
前記可動構造を移動させる移動機構と、
を具えることを特徴とする装置。
【請求項２】
さらに、前記位置に基づいて前記ＬＥＤ列のＬＥＤを駆動又は非駆動させる駆動部を具えることを特徴とする請求項１に記載の装置。
【請求項３】
前記可動構造が撓み型構造で、前記可動構造を移動させる前記移動機構が前記撓み型構造を撓ませる撓み機構であることを特徴とする請求項２に記載の装置。
【請求項４】
前記撓み型構造が２枚の板バネ型構造であることを特徴とする請求項３に記載の装置。
【請求項５】
前記撓み型構造が２つの平行四辺形の撓み型構造であることを特徴とする請求項３に記載の装置。
【請求項６】
前記ＬＥＤ列が、撓み面に対して実質的に法線方向に光を放射するよう向いていることを特徴とする請求項５に記載の装置。
【請求項７】
前記ＬＥＤ列が撓み面に対して実質的に垂直方向に光を放射するよう向いていることを特徴とする請求項５に記載の装置。
【請求項８】
前記位置センサが前記ＬＥＤ列の１以上のＬＥＤと接続されていることを特徴とする請求項５に記載の装置。
【請求項９】
前記可動構造が１以上のレールを有するレール型直線運動装置で、前記移動機構が１以上のボイスコイルであることを特徴とする請求項１に記載の装置。
【請求項１０】
表示情報を受信するステップと、
複数の発光ダイオード（ＬＥＤ）列を取り付けた基板の位置を検出するステップと、
前記基板を移動させるステップと、
前記複数のＬＥＤ列のＬＥＤを、前記基板の位置、前記基板の速度、及び前記受信した表示情報に基づいて駆動又は非駆動するステップと、
を具えることを特徴とする方法。
【請求項１１】
前記移動させるステップが、さらに、撓み可能な構造を撓ませるステップを具えることを特徴とする請求項１０に記載の方法。
【請求項１２】
前記撓ませるステップが、さらに、前記撓み可能な構造の共振周波数で前記撓み可能な構造を撓ませるステップを具えることを特徴とする請求項１１に記載の方法。
【請求項１３】
前記基板を移動させるステップが前記位置に基づくことを特徴とする請求項１０に記載の方法。
【請求項１４】
表示情報を受信する手段と、
複数の発光ダイオード（ＬＥＤ）列を取り付けた基板の位置を検出する手段と、
前記基板を移動させる手段と、
前記複数のＬＥＤ列のＬＥＤを、前記基板の位置、前記基板の速度、及び前記受信した表示情報に基づいて駆動又は非駆動する手段と、
を具えることを特徴とする装置。
【請求項１５】
前記移動させる手段が、さらに、撓み可能な構造を撓ませる手段を具えることを特徴とする請求項１４に記載の装置。
【請求項１６】
前記撓み可能な構造を撓ませる手段が、さらに、前記撓み可能な構造の共振周波数で前記撓み可能な構造を撓ませる手段を具えることを特徴とする請求項１５に記載の装置。
【請求項１７】
前記撓ませる手段が前記位置に基づくことを特徴とする請求項１５に記載の装置。
【請求項１８】
前記基板を移動させる前記手段が、ボイスコイル手段を用いて直線レール手段上の前記基板を移動させる手段であることを特徴とする請求項１４に記載の装置。
【請求項１９】
前記基板を移動させる前記手段が、ボイスコイル手段を用いて撓み型構造手段上の前記基板を移動させる手段であることを特徴とする請求項１４に記載の装置。
【請求項２０】
前記基板を移動させる前記手段が、２つの平行四辺形の撓み型構造を、実質的に前記２つの平行四辺形の撓み型構造の固有振動で撓ませる手段であることを特徴とする請求項１４に記載の装置。
【発明の詳細な説明】
【技術分野】
【０００１】
本出願は、本出願と発明者が同一で、参照することにより本書に組み込まれている「ＬＥＤディスプレイの位置決めシステム及び方法」と題される２００４年７月２６日に出願された米国仮出願番号６０／５９１１１０の優先権を主張する。本出願は、本出願と発明者が同一で、参照することにより本書に組み込まれている「ＬＥＤディスプレイの位置決めシステム及び方法」と題される２００５年７月２５日に出願された米国出願番号（未公表）の優先権を主張する。本出願は、本出願と１人の共通する発明者を有し、「発光素子ディスプレイの方法及び装置」と題される２００４年３月２６日に出願された米国出願番号１０／８１０３００に関する。
【０００２】
本発明はディスプレイに関する。より詳細には、本発明は、発光素子（ＬＥＤ）ディスプレイの位置決めシステム及び方法に関する。
【背景技術】
【０００３】
多くの電子ディスプレイが、画素毎及び走査線毎に画像を組み立てることにより画像を表示可能な走査機構を有している。例えば、多くのテレビ、ビデオ端末、コンピュータディスプレイ及び投写型ディスプレイに不可欠な部分であるブラウン管（ＣＲＴ）が、このような手法を用いている。このようなＣＲＴディスプレイは、電子が衝突するときに発光する赤、緑、青の蛍光体を有するフェースプレートに向かって電子を加速するための１以上の電子銃を有する。電子ビームは、高電圧及び／又は磁気的な手段により曲げられ、通常、左から右に及び上から下に走査されて、１秒間に３０乃至１００枚の画像を生成する。視聴者は、人間の目の視覚的な性質による残像により固定された画像を視る。ＣＲＴは、かさばり、そして大量の電力を要する。これは、問題を起こす場合がある。
【発明の開示】
【発明が解決しようとする課題】
【０００４】
画素毎及び走査線毎に画像を生成するもう１つの手法は、偏向した光線の使用である。軽い粒子又は光子は電荷を持たないため、静電気的又は磁気的手段を、光線を曲げるために用いることはできない。しかしながら、レーザ又は他の光源及び回転ミラーを用いて光線を曲げることで走査ディスプレイを作成可能である。回転ミラーは、問題を起こす場合がある。
【発明を実施するための最良の形態】
【０００５】
本書で用いられているように、「ＬＥＤ」又はこれと同様な用語は、発光素子について言及している。例えば、発光ダイオード（一般にＬＥＤとして記載される）、可視レーザ、面発光レーザ（ＶＣＳＥＬ）、量子ドット、共振空洞発光ダイオード（ＲＣＬＥＤ）、有機発光ダイオード（ＯＬＥＤ）、エレクトロルミネセント・ダイオード（ＥＬＥＤ）、光子再生半導体発光ダイオード等、様々な発光素子がある。本発明に係る様々な実施例を記載する便宜のために、ＬＥＤ及びこれと同等な用語は、全てのこのような発光素子に関し、発光ダイオードだけに限らない。すなわち、ここでのＬＥＤの使用は、発光ダイオード、レーザ等を含んでいる。区別される箇所では、意図される具体的な用語が文章において明確に用いられている。
【０００６】
図１は、記載された技術が適用されるネットワーク環境１００を示す。さらなる詳細は、以下に説明されている。
【０００７】
図２は、図１に示す装置のいずれかの代表例をブロック図で表すコンピュータシステム２００を示す。さらなる詳細は、以下に説明されている。
【０００８】
図３は、本発明３００の１つの実施例をブロック図で表す。本実施例では、赤色、緑色、及び青色の画素３０６列又は複数の列からなる光源を物理的に動かす３１６により走査像を生成する方法が示されている。本システム３００の駆動部３１６は、以下において、さらに詳細にカバーされている。携帯機器に搭載されるこのようなシステム３００では、光源３０６を移動させるのに使用される電源を最小限にすることが重要である。加えて、光源３０６の移動が正確で各周期で一定であるような設計が利益をもたらす。本実施例では、位置フィードバック機構３１０が用いられている。携帯機器に応用するため、この機構の大きさ及び重量は最小限にされ、しかも低い電力で動作可能となる。最後に、動作装置は、耐久性があり、何十億もの周期を動作可能である。
【０００９】
電力及びアナログ信号、ＤＶＩ信号等といった入力映像信号が入力される入力インターフェイス及び同期化のブロックが、符号３０２で示されている。ブロック３０２は、コントローラ３０４に送られるフレームデータ信号を出力する。コントローラ３０４は、クロック信号及び位置センサ（符号３１０からの）情報を入力信号として受信する。コントローラ３０４は、不揮発性メモリ３１２、フレームバッファメモリ３１４と双方向通信する。コントローラ３０４は、ＬＥＤアレイ３０６に送られる制御データを出力する。また、ＬＥＤアレイ３０６は、動作装置３１６から動作制御を受信する。ＬＥＤアレイは、位置センサ３１０に送られる光信号を出力し、光学系画面３０８に送られる光出力を出力する。
【００１０】
図４は、基板４０２のさらなる詳細を表す本発明の１つの実施例４００を示す。基板４０２は、ＶＣＳＥＬ４０４、赤色ＬＥＤ列４０８、緑色ＬＥＤ列４１０、青色ＬＥＤ列４１２からなる第１アレイ、赤色ＬＥＤ列４１８、緑色ＬＥＤ列４２０、青色ＬＥＤ列４２２からなる第２アレイ、第１（４０８，４１０，４１２）ＬＥＤ及び第２ＬＥＤ（４１８，４２０，４２２）を駆動する６個のドライバチップ４１４、基板４０２の部品とコントローラ（図３の符号３０４のような）との接続部４２４を取り付けている。
【００１１】
本書は、図４に本発明４００の１つの実施例として示されているＬＥＤアレイを案内及び駆動する本発明に係るいくつかの実施例を詳述する。直線運動が、最も容易に理解されるものとして説明される。付加的に、より正確な説明のために、案内システム及び駆動システムが、別々に記載されている。当業者は、案内及び駆動システムのこのような組み合わせが本発明に係る様々な実施例で使用できるものと認識するであろう。
【００１２】
図５は、２本のレール案内技術を表す本発明に係る１つの実施例５００を示す。この案内技術では、１又は２本の円形レールが、ブッシュ、リニアベアリング、ボールベアリングホイール等のいずれかを有するペイロードを案内する。１つ以上のホイールが、本システムに予荷重をかけるバネを有してもよい。本発明の１つの実施例では、（４５°の通路といった）角度のある通路を加工してレールと同じような機能を与えてもよい。適切に作成すると、摩擦が減少して摩耗の影響が最小限になる。本実施例は、これらのシステムの作用方向の復元力を有しておらず、ペイロードは意図する行程内のいかなる位置においてを安定している。ＬＥＤペイロード（ＬＥＤ装置、駆動装置等）５２０の平面図が符号５０２で示されている。また、２本のガイドレール、３つのガイドホイール５２４の上部、及び基板５２８が示されている。符号５０２の側面図が符号５０４である。符号５０４には、ＬＥＤペイロード５２０、ガイドレール５２２、固定されたホイール５２４、バネで付勢されている１つのホイール５２６及び基板５２８が示されている。
【００１３】
図６は、１つの平行四辺形をなす撓み型のガイド技術を表す本発明に係る１つの実施例６００を示している。撓み型システムは、１組の平らな（板）バネ６０６を用いている。本実施例では、固定部（例えば符号６０８）及び移動部（例えば符号６１０）間の相対的な移動が無いため、摩擦及び摩耗の影響が実質的に除去されている。復元力がこれらのシステムに存在するため、ぺイロード６１２は、中央（中立）位置において安定し、ぺイロードを撓ませるために付勢力が必要である。純粋な直線移動は、（後で詳述されるように）１組の平行四辺形の板バネ（符号６０６のような）からは生じない。後で説明されるように、撓み型システムは、共振による変位の増幅を用いるのに有利な基本（固有）周波数を呈する。符号６０２は、撓み型ガイドの背面図である。符号６０４は、撓み型ガイドの側面図で、板バネ６０６、ＬＥＤペイロード６１２、及び点線で示される撓み（例えば符号６１０）を示す。
【００１４】
撓み型ガイドを用いた純粋な直線運動を与えるために、２つの平行四辺形からなる撓みのガイドを表す図７に示されているような第２の「アーム」の組が用いられる。符号７０２は、２つの平行四辺形の撓みガイドシステムの側面図である。後で説明するように、撓み型システムは、共振による変位の増幅を用いるのに有利な基本（固有）周波数を呈する。符号７０４は、第１組の板バネ７０６が取り付けられた第１の固定構造である。そして、第１組の板状のアーム７０６は、第２の固定構造７０８に取り付けられている。第２組の板バネ７１０が第２の固定構造７０８に取り付けられており、また、第２組の板バネ７１０は、基板となる第３の固定構造７１２に取り付けられている。基板上の符号７１４は、図７の紙面方向が光軸方向であるＬＥＤペイロードである。矢印７１６は、移動方向を示している。
【００１５】
図８は、（図５に示すような）２本のレールガイドシステムに適用されるボイスコイル駆動技術を表す、本発明に係る１つの実施例８００を示している。符号８０２は、２つの駆動コイル８２０を用いた駆動システムの平面図である。符号８０２において図示を明瞭にするために、磁石構造８２２に関する一番左のものだけが示されている。符号８０４は、２つの駆動コイル８２０及びこれに関連する磁気構造８２２を示す符号８０２の側面図である（符号８０２の左端部を示す）。当業者は、ボイスコイルモータの駆動技術が、直線及び回転運動の双方の要求に用いられるものと認識するであろう。さらに、駆動部が非接触型であるため、より摩耗しにくい。
【００１６】
図９は、（図５に示すような）２本のレールガイドシステムに適用されるボイスコイル駆動技術を表す、本発明に係る１つの実施例９００を示している。符号９０２は、３つの駆動コイル９２０を用いた駆動システムの平面図である。符号９０２において図示を明瞭にするために、２つの駆動コイルに関する一番右の磁石は示されてはいないが、左端の駆動コイルに関するものが符号９２２で示されている。符号９０４は、一番左の駆動コイル９２０及びこれに関連する磁気構造９２２のみを示す、符号９０２の側面図である（符号９０２の左端部を示す）。ここで、レールはリニアモータの中央ヨークとして機能する。当業者は、ボイスコイルモータの駆動技術が、直線及び回転運動の双方の要求に用いられ、１以上の駆動コイルを適切に使用するものと認識するであろう。さらに、駆動コイルが磁石に接触していないため、機械的な接触を有するシステムよりも摩耗しにくい。
【００１７】
付加的な駆動技術が、他の構成のモータ、例えば、限定されるものではないが、ステッピングモータ、圧電駆動モータ、静電モータ等を用いてもよい。
【００１８】
ステッピングモータ駆動部を用いて、ＬＥＤペイロードを駆動させてもよい。例えば、ステッピングモータをペイロードステージに接続される送りネジといった駆動要素に接続することで、ＬＥＤが移動可能となる。送りネジのため、この機械的設計では、摩擦及び摩耗の可能性がある。
【００１９】
位置決めのための小さくて精密な動きが要求される場所では、静電型駆動や圧電駆動を用いてもよい。
【００２０】
撓み型ボイスコイルモータ（ＶＣＭ）システムを用いた本発明に係る１つの実施例の詳細な記載が以下になされている。
【００２１】
本発明では、撓みの固有振動数の増幅又は共振を利用して駆動エネルギを低下させる撓み型ＶＣＭシステムが開示されている。例えば、仮定した０．５％及び０．９％の減衰率が、各々１００倍及び５６倍の増幅率をもたらす。共振でこの機構を駆動させるには、十分なデューティサイクル全部を要しないため、正弦波又はパルス波の入力が考えられる。結果として生じる電力及びスペースの節約は、相当なものである。
【００２２】
図１０は、ペイロード１００８の下方であって撓み部材１０１０間に設けられている単一の駆動コイル１００６を有するボイスコイルモータ１０１６を表す、本発明に係る１つの実施例１０００を示している。符号１００２は、ＬＥＤペイロードの運動方向及びステージ１００３を示す底面図である（明瞭にするために、音声駆動コイルは示されていない）。符号１００４は、単一の音声駆動コイル１００６及び点線１０１２で示される撓みを示す側面図である。また、ＬＥＤペイロードが符号１００８で示されている。
【００２３】
当業者は、本システムの固有周波数をＬＥＤディスプレイの走査要件に合うように設計できることを認識するであろう。例えば、６０Ｈｚの垂直走査周波数が要求される場合、３０Ｈｚの基本的なシステムの共振が、ＬＥＤペイロードを適切に移動させる（３０Ｈｚで、ＬＥＤペイロードは、１秒間に３０回「前方」及び「後方」にスクリーンを横断する。ＬＥＤペイロードが前方及び後方への移動の双方で走査を照らすため、６０Ｈｚの垂直走査周波数がもたらされる）。
【００２４】
図１１は、ペイロード１１０８の移動方向に沿って設けられたボイスコイルモータ１１１６を表す、本発明に係る１つの実施例１１００を示している。符号１１０２は、ＬＥＤペイロード１１０８及びステージ１１１８の移動方向１１０３を示す底面図である（明瞭のため１つのボイスコイルのみが示されている）。符号１１０４は、２つの音声駆動コイル１１２０及び点線１１２２で示される撓みを示す側面図である。また、ＬＥＤペイロードが符号１１０８で示されている。
【００２５】
図１２は、駆動機構１２０４、ベース１２０６、及び基板１２０８を示す本発明に係る１つの実施例１２００を示している。図に示すように、ベース１２０６は、ＬＥＤペイロード１２１２を取り付けた駆動機構１２０４に接続された撓み部１２１０を支持している。本実施例におけるこのＬＥＤペイロード１２１２は、２列のＲＧＢ放射体、ロジック及びドライバチップを有する基板１２０８である。明瞭のためにＶＣＭは表されていない。
【００２６】
ＬＥＤペイロード１２１２を有したこのような撓み型ＶＣＭシステムが、図１１に示されていて、機械的な増幅は、非共振型の機械的機構によりもたらされるものに対して、ほぼ４０ｄＢ（又は１００倍）である。平行四辺形の板バネ１２１０の単一の組による非直線運動は、ＬＥＤペイロード１２１２のＬＥＤの光学補正及び／又は通電のタイミングにより実現可能である。
【００２７】
図１３は、正弦波による走査の詳細を示す本発明に係る１つの実施例１３００を示す。図１２に示すような撓みシステムは、図１３に示すような正弦波の動作を生成する。特定の画素の列が通電される時間を変えることで、画像を的確に生成することが可能である。ＬＥＤは、図１３に示すように、右方及び左方への動作中に通電される。符号１３０２は、時間ｔに対する動作Ｘ（ｔ）を示す。符号１３０４は、時間ｔに対する速度ｖ（ｔ）を示す。
【００２８】
このようなモードの動作の詳細な説明が、ここで与えられる。
【００２９】
ｄｉを、ｉ番目の列が画素を生成するのに移動する距離とするとき、等しいサイズの画素生成するために、
ｄｉ＝ｄ  ｄは一定値
ｄｉ＝∫ｖｄｔ                        （式１）
である。ここで、積分の上限値はｔｉ、下限値はｔｉ−１、ｄｉはｉ番目の列を生成するのに移動する距離である。ｔｉはｉ番目の列の通電が終わる時間である。ｔｉ−１は（ｉ−１）番目の列の通電が終わる時間である。
距離ｘ（ｔ）は、
ｘ（ｔ）＝ａｃｏｓ（ωｔ）            （式２）
で与えられる。
速度ｖ（ｔ）は、
ｖ（ｔ）＝ｄｘ／ｄｔ
＝−ａωｓｉｎ（ωｔ）        （式３）
で与えられる。
【００３０】
本発明に係るある実施例では、時間ゼロで、基板が右方に位置し、すなわちｘ（０）＝ａで、速度がゼロ、すなわちｖ（０）＝０である、と仮定する。基板は左方、すなわち負の方向への移動を開始し、左端部に達する。図１３に示すように、ＬＥＤはｔ＝０．０００３４秒から通電を開始する。通電（ＬＥＤを発光又は非発光させる）は、表示される画像の列及び位置に基づく時間に関連する。通電は、第１列（最左列）がｔ＝０．０１３６秒に達した後に停止する。その時点で、速度はゼロである。基板は右方への移動を始め、ゼロ位置を通過し、最右端に達するまで右方に移動する。
【００３１】
適切な数値は、以下のとおりである。
ω＝２πｆ    ここで、ｆは、１秒当たりの反復の頻度である。
ω＝２π３０                          （式４）
【００３２】
本実施例では、速度（正及び負）がゼロではない動作部分が用いられる。それは、妥当な選択である、左方への移動に対応するωｔ＝２π３５／３６０からωｔ＝２π１４５／３６０までの領域、及び右端への移動に対応するωｔ＝２π２１５／３６０からωｔ＝２π３２５／３６０までの領域である。
【００３３】
全ての他の量が既知であるため、上式からコントローラがｔｉ及びｔｉ−１の値を認識することが可能である。速度と時間の積は一定であるため、列の幅が同じ見掛けの大きさを有し、速度が最大のときに列の時間間隔が最小になる。反対に、速度が小さい時に、時間間隔は大きくなる。しかしながら、時間間隔が長くなれば、列は見る人によってより明るく見える。このため、列の位置に依存する補正が適用される。図１３は、速度が画像の中央列にあるときに高いことを示している。このことは、中央が画像の右端及び左端よりも明らかに暗いことを意味する。これを補正するために、補正因子がＬＥＤの励起値に適用される。
【００３４】
図１４は、撓みシステムの変位の詳細を表す本発明に係る一実施例１４００を示している。符号１４０２は、３次元像を示す。符号１４０４は、ｘ−ｚ平面図を示す。
【００３５】
図１５は、撓みシステムの位置及び変位に対する力の詳細を表す本発明に係る一実施例１５００を示す。本図は、単一の平行四辺形の撓みガイド型システムの非直線挙動を示す。符号１５０２は、ｘ位置に対するｚ位置を示す。符号１５０４は、ｘ位置に対する力を示す。
【００３６】
図１６は、本発明に係る１実施例１６０２についての計算１６００を示す。
【００３７】
図１７は、本発明に係る１実施例１７０２についての計算１７００を示す。
【００３８】
図１８は、本発明に係る１実施例１８０２についてのグラフ及び計算１８００を示す。本計算は、３０Ｈｚのシステムに対応する本発明に係る実施例を示す。
【００３９】
当業者は、本発明が３０Ｈｚのシステムに限られず、本発明の範囲内のいかなる周波数を選択可能であることを認識するであろう。さらに、上記のような他の駆動及び案内手段もまた、本発明の範囲内である。
【００４０】
このように、ＬＥＤディスプレイの位置決めシステム及び方法が記載されている。
【００４１】
図１は、記載された技術が適用されるネットワーク環境１００を示している。ネットワーク環境１００は、Ｓサーバ１０４−１から１０４−Ｓ及びＣクライアント１０８−１から１０８−Ｃに接続するネットワーク１０２を有する。さらなる詳細が、以下に記載されている。
【００４２】
図２は、図１に示す任意のクライアント及び／又はサーバの代表例であるコンピュータシステム２００を、他の図面の装置、クライアント及びサーバとともにブロック図形式で示す。さらなる詳細が、以下に記載されている。
【００４３】
図１に戻って、図１は、記載された技術が適用されるネットワーク環境１００を示している。ネットワーク環境１００は、Ｓ個のサーバ１０４−１から１０４−Ｓ及びＣ個のクライアント１０８−１から１０８−Ｃに接続するネットワーク１０２を有する。図に示すように、Ｓ個のサーバ１０４−１から１０４−Ｓ及びＣ個のクライアント１０８−１から１０８−Ｃの形のいくつかのコンピュータシステムが、ネットワーク１０２、例えば結集した基盤ネットワーを介して互いに接続されている。ここで留意すべきは、代替的に、このネットワーク１０２が、インターネット、ローカルエリアネットワーク（ＬＡＮ）、ワイドエリアネットワーク（ＷＡＮ）、サテライトリンク、ファイバネットワーク、ケーブルネットワーク又はこれら及び／又は他の組み合わせのうちの１以上であるか、これらを含むことである。例えば、サーバは、ディスクストレージシステムのみを、又はストレージ及びコンピュータリソースを意味するものであってよい。同様に、クライアントが、計算機、保存装置及び表示機能を有してもよい。本明細書に記載されている方法及び装置を、ＬＡＮ、ＷＡＮ、システムバス等といった、ローカル又はリモートに拘わらず、いかなるタイプの目に見える通信手段又は装置に原則として適用してもよい。このように、本発明は、Ｓ個のサーバ１０４−１から１０４−Ｓ及びＣ個のクライアント１０８−１から１０８−Ｃの双方に適用することができる。
【００４４】
図２に戻って、図２は、図１に示す任意のクライアント及び／又はサーバの代表例であるコンピュータシステム２００を、他の図面の装置、クライアント及びサーバとともにブロック図形式で示す。このブロック図は、高レベルの概念提示であり、様々な方法及び様々な設計概念で実施可能である。バスシステム２０２が、Ｃｅｎｔｒａｌ  Ｐｒｏｃｅｓｓｉｎｇ  Ｕｎｉｔ（ＣＰＵ）２０４，Ｒｅａｄ  Ｏｎｌｙ  Ｍｅｍｏｒｙ（ＲＯＭ）２０６，Ｒａｎｄｏｍ  Ａｃｃｅｓｓ  Ｍｅｍｏｒｙ（ＲＡＭ）２０８，保存装置２１０、ディスプレイ２２０（例えば、本発明の実施例）、音声装置２２２、キーボード２２４、ポインタ２２６、様々な入出力（Ｉ／Ｏ）装置２２８、通信装置２３０と相互接続されている。バスシステム２０２は、例えば、１以上のシステムバス、Ｐｅｒｉｐｈｅｒａｌ  Ｃｏｍｐｏｎｅｎｔ  Ｉｎｔｅｒｃｏｎｎｅｃｔ（ＰＣＩ），Ａｄｖａｎｃｅｄ  Ｇｒａｐｈｉｃｓ  Ｐｏｒｔ（ＡＧＰ），Ｓｍａｌｌ  Ｃｏｍｐｕｔｅｒ  Ｓｙｓｔｅｍ  Ｉｎｔｅｒｆａｃｅ（ＳＣＳＩ），Ｉｎｓｔｉｔｕｔｅ  ｏｆ  Ｅｌｅｃｔｒｏｎｉｃｓ  Ｅｎｇｉｎｅｅｒｓ（ＩＥＥＥ）標準規格番号１３９４（Ｆｉｒｅ  Ｗｉｒｅ），Ｕｎｉｖｅｒｓａｌ  Ｓｅｒｉａｌ  Ｂｕｓ（ＵＳＢ）等である。ＣＰＵ２０４は、単一、複数又は分散型コンピュータリソースでよい。保存装置２１０は、コンパクトディスク（ＣＤ）、Ｄｉｇｉｔａｌ  Ｖｅｒｓａｔｉｌｅ  Ｄｉｓｋ（ＤＶＤ），ハードディスク（ＨＤ）、光ディスク、テープ、フラッシュメモリ、メモリスティック、ビデオレコーダ等でよい。ディスプレイ２２０は、例えば、本発明に係る１つの実施例でよい。注目すべきは、コンピュータシステムの実施に応じて、コンピュータシステムが、ブロック図の部品のいくつか、全て、追加又は再配列を含めてもよいことである。例えば、小型軽量クライアントは、例えば従来のキーボードが無いワイヤレスの携帯型装置で構成してもよい。このように、図２のシステムについての多くの変形例が可能である。
【００４５】
本発明の議論及び理解のために、技術や研究方法を記載するために、様々な用語が当技術分野の専門家により用いられていることを理解されたい。さらに、記載においては、説明のために、本発明の深い理解を与えるべく多くの特定の詳細が示されている。しかしながら、当業者にとって本発明がこれらの特定の詳細なしに実施されることは明らかである。場合によっては、よく知られた構成及び装置は、本発明が分かりにくくなるのを防ぐために、詳しいものよりもむしろブロック図形式で示される。これらの実施例は、当業者が本発明を実施するのに可能な程度に十分詳しく記載されており、当然のことながら、他の実施例を用いてもよく、本発明の範囲を逸脱することなく論理的、機械的、電気的な又は他の変更がなされてもよい。
【００４６】
本明細書のいくつかの部分は、動作のアルゴリズム及び記号の言語、例えばコンピュータメモリ内のデータビットとして示されている。このようなアルゴリズムに関する記載及び表示は、データ処理の分野の当業者に用いられる手段で、より効果的に彼らの作業の内容を他の当業者に伝えるものである。アルゴリズムは、一般に、望ましい結果に至る自己矛盾のない動作シーケンスであると考えられる。これらの動作は、物理量の物理的処置を要するものである。通常、必ずしもではないが、これらの物理量は、保存、伝送、結合、比較及び他の処置が可能な電気的又は磁気的な信号という形をとる。主に一般的な用法のため、これらの信号をビット、数値、要素、記号、文字、用語、数字等で示すことが、時として扱いやすいと証明されている。
【００４７】
しかしながら、これらの全て及びこれらと同じような用語は、適切な物理量に関連し、単にこれらの量に付けられる便利なラベルに過ぎないことを銘記すべきである。特に規定されて議論から明らかでない限り、当然のことながら、本明細書を通して、「処理」、「演算」、「計算」、「決定」又は「表示」等といった用語の使用の議論は、コンピュータシステムのレジスタ及びメモリ内で物理（電子的な）量として表現されるデータを扱い、コンピュータシステムのメモリ又はレジスタ、又は他の情報記憶、伝達、表示装置内で同様に物理量として表現される他のデータに変換する、コンピュータシステム又は、これと同じような電子計算機装置の作動及び処理に言及することができる。
【００４８】
ここに記載されている動作を実行する装置は、本発明を実施可能である。この装置を、所要の目的のために特別に構成してもよく、又は、この装置が、コンピュータに保存されたコンピュータプログラムにより選択的に動作又は書き換えられる汎用コンピュータを具えてもよい。このようなコンピュータプログラムを、フロッピー（登録商標）ディスク、ハードディスク、光ディスク、コンパクトディスク型読み出し専用メモリ（ＣＤ−ＲＯＭ）、光磁気ディスク、読み出し専用メモリ（ＲＯＭ）、ランダムアクセスメモリ（ＲＡＭ）、電気的にプログラム可能な読み出し専用メモリ（ＥＰＲＯＭ）、電気的に消去可能でプログラム可能な読み出し専用メモリ（ＥＥＰＲＯＭ）、フラッシュメモリ、磁気又は光カード等を含むいかなるタイプのディスク、又はコンピュータに対してローカルに又はリモートに電子的な命令の保存に適したいかなるタイプの媒体、といったコンピュータが読み込み可能な保存媒体に、これらに限られないが保存してもよい。
【００４９】
ここに示されているアルゴリズム及びディスプレイは、本質的に特定のコンピュータ又は他の装置に関するものではない。様々な汎用システムを、ここに示唆しているものに従ってプログラムと共に用いてもよく、又は、所要の方法を実行するより特別な装置を構築することが便利であると分かっている。例えば、本発明に関するいずれかの方法は、汎用プロセッサをプログラミングすることにより、又は、ハードウェア及びソフトウェアの任意の組み合わせにより、プログラムがハードウェアに組み込まれている回路構成で実行可能である。当業者は、本発明が、携帯端末、マルチプロセッサシステム、マイクロプロセッサを用いるか又はプログラム制御可能な家庭用電化製品、デジタル信号処理（ＤＳＰ）装置、セットトップボックス、ネットワークＰＣ、ミニコンピュータ、大型汎用コンピュータ等を含む、上記以外のコンピュータシステム構成で実行可能であると即座に認識するであろう。また、本発明は、通信ネットワークを介して接続された遠隔処理装置によりタスクが実行される分散コンピューティング環境で実施可能である。
【００５０】
本発明に係る方法を、コンピュータソフトウェアを用いて実施してもよい。認められている基準に従ったプログラミング言語で書かれている場合、本発明に係る方法を実行するために設計された命令の順序は、様々なハードウェアプラットフォームでの実行及び様々なオペレーティングシステムとのインターフェイスのためにコンパイルできる。さらに、本発明は、特定のプログラミング言語を基準にして記載されているものではない。当然のことながら、様々なプログラミング言語を使用して、ここに記載されている本発明が示唆していることを実行可能である。さらに、ソフトウェアが、ある形式又は他の（例えば、プログラム、手順、アプリケーション、ドライバ）形式で、動作し又は結果を出すことは、技術的によく知られている。このような表現は、コンピュータによりソフトウェアを実行することでコンピュータのプロセッサが動作して結果を出すことの単に簡単な言い方に過ぎない。
【００５１】
様々な用語及び技術が専門家により用いられて、通信、プロトコル、アプリケーション、実施、機構等を記述することを理解されたい。このような技術の１つとして、アルゴリズム又は数式に関する技術用語の記載がある。すなわち、例えば、この技術は、コンピュータでコード化して実行可能であるが、そのような技術の表現は、公式、アルゴリズム、又は数式として、より適切にそしてより簡潔に伝えられ伝達される。このため、当業者は、Ａ＋Ｂ＝Ｃを意味するブロックの、ハードウェア及び／又はソフトウェアにおける実行は、
２つの入力（Ａ及びＢ）を受け入れて合計の出力（Ｃ）を出す加法関数として認識するであろう。このため、記載されている公式、アルゴリズム又は数式の使用は、少なくともハードウェア及び／又はソフトウェアで物理的な実施（本発明の技術を１つの実施例として実施及び実行可能なコンピュータシステムといったもの）を有するものとして理解される。
【００５２】
コンピュータが読み取り可能な媒体は、機械（例えば、コンピュータ）により読込可能な形式で情報を保存又は伝達する機構を含むものと理解される。例えば、コンピュータが読み取り可能な媒体は、読み出し専用メモリ（ＲＯＭ）、ランダムアクセスメモリ（ＲＡＭ）、磁気ディスク記憶媒体、光ディスク記憶媒体、フラッシュメモリ装置、電気的、光学的、音響的又は他の形式の伝播する信号（例えば、搬送波、赤外線信号、デジタル信号等）等を含むものである。
【００５３】
本明細書に用いられているように、「一つの実施例」又は「ある実施例」又はこれらと同様な語句は、記載されている特徴が本発明の少なくとも１つの実施例を含むことを意味する。本明細書の「一つの実施例」に関する箇所は、必ずしも同一の実施例に言及するものではなく、互いに矛盾するものでもない。「一つの実施例」は、本発明のただ一つの実施例の意味を含んでいるものでもない。例えば、「一つの実施例」に記載された、特徴、構造、作動等は、他の実施例にも含まれる。このように、本発明は、ここに記載されている実施例の様々な組み合わせ及び／又は統合を含んでいてもよい。
【００５４】
このように、発光ダイオードディスプレイの方法及び装置が記載されている。
【図面の簡単な説明】
【００５５】
本発明は、添付の図面において限定ではなく一例として示されている。
【００５６】
【図１】図１は、本発明が実施されるネットワーク環境を示す。
【図２】図２は、本発明のいくつかの実施例を実施するのに使用されるコンピュータシステムのブロック図を示す。
【図３】図３は、本発明に係る１つの実施例をブロック図形式で示す。
【図４】図４は、ＬＥＤディスプレイの基板の詳細を表す本発明に係る１つの実施例を示す。
【図５】図５は、２本のレールガイドを表す本発明に係る１つの実施例を示す。
【図６】図６は、撓み型ガイド技術を表す本発明に係る１つの実施例を示す。
【図７】図７は、２つの平行四辺形の撓み型ガイド技術を表す本発明に係る１つの実施例を示す。
【図８】図８は、ボイスコイル駆動技術を表す本発明に係る１つの実施例を示す。
【図９】図９は、ボイスコイル駆動技術を表す本発明に係る実施例を示す。
【図１０】図１０は、ペイロードの下であって撓み板の間に設けられたボイスコイルモータを表す本発明に係る１つの実施例を示す。
【図１１】図１１は、ペイロードの移動方向に沿って設けられたボイスコイルモータを表す本発明に係る１つの実施例を示す。
【図１２】図１２は、駆動機構、ベース及び基板を表す本発明に係る１つの実施例を示す。
【図１３】図１３は、正弦波による走査の詳細を表す本発明に係る１つの実施例を示す。
【図１４】図１４は、撓みシステムの変位の詳細を表す本発明に係る１つの実施例を示す。
【図１５】図１５は、撓みシステムの位置及び変位に対する力の詳細を表す本発明に係る１つの実施例を示す。
【図１６】図１６は、本発明に係る実施例についての計算及びグラフを示す。
【図１７】図１７は、本発明に係る実施例についての計算及びグラフを示す。
【図１８】図１８は、本発明に係る実施例についての計算及びグラフを示す。
【図１】
2008507741.tif 000003
【図２】
2008507741.tif 000004
【図３】
2008507741.tif 000005
【図４】
2008507741.tif 000006
【図５】
2008507741.tif 000007
【図６】
2008507741.tif 000008
【図７】
2008507741.tif 000009
【図８】
2008507741.tif 000010
【図９】
2008507741.tif 000011
【図１０】
2008507741.tif 000012
【図１１】
2008507741.tif 000013
【図１２】
2008507741.tif 000014
【図１３】
2008507741.tif 000015
【図１４】
2008507741.tif 000016
【図１５】
2008507741.tif 000017
【図１６】
2008507741.tif 000018
【図１７】
2008507741.tif 000019
【図１８】
2008507741.tif 000020
【国際調査報告】
2008507741.tif 000021